(57)【要約】【課題】地震時の水平力による損傷を低減できるエスカレータの支持構造を提供すること。【解決手段】エスカレータ支持構造は、エスカレータのトラス１０を建物の鉄骨梁２０に支持する。このエスカレータ支持構造では、鉄骨梁２０には、エスカレータのトラス１０を支持するトラス支持部２２と、このトラス支持部２２に支持されて略水平に延びる摺動プレート２４１と、が設けられる。トラス１０には、トラス１０の先端から延出してトラス支持部２２に摺動可能に支持される延出部３０と、この延出部３０に設けられて摺動プレート２４１を摺動可能に支持する摺動部支持部３１と、延出部３０に設けられて一端側が摺動プレート２４１の上面に摺動可能に載置される床仕上材３２２と、が設けられている。【選択図】図３
2014094792.tif 000002
【特許請求の範囲】
【請求項１】
エスカレータのトラスを建物の躯体に支持するエスカレータ支持構造であって、
前記躯体には、エスカレータのトラスを支持するトラス支持部と、このトラス支持部に支持されて略水平に延びる摺動プレートと、が設けられ、
前記トラスには、当該トラス先端から延出して前記トラス支持部に摺動可能に支持される延出部と、当該延出部に設けられて前記摺動プレートを摺動可能に支持する摺動部支持部と、前記延出部に設けられて一端側が前記摺動プレートの上面に摺動可能に載置される床仕上材と、が設けられていることを特徴とするエスカレータ支持構造。
【請求項２】
前記摺動プレートの上面のうち前記床仕上材で覆われていない部分には、弾性変形可能な段差解消シートが設けられていることを特徴とする請求項１に記載のエスカレータ支持構造。
【請求項３】
前記トラス支持部には、建物の床面に至る正面側目地部が設けられることを特徴とする請求項１または２に記載のエスカレータ支持構造。
【発明の詳細な説明】
【技術分野】
【０００１】
本発明は、エスカレータ支持構造に関する。詳しくは、エスカレータのトラスを建物の躯体に支持するエスカレータ支持構造に関する。
【背景技術】
【０００２】
従来より、建物にエスカレータが設けられる場合がある。エスカレータは、下階に設けられた下部床と上階に設けられた上部床との間で乗客を移動させる装置である。このエスカレータの下部床は下階の躯体に固定され、上部床は、上階の躯体に固定される（特許文献１、２参照）。
【先行技術文献】
【特許文献】
【０００３】
【特許文献１】特開平８−１４３２５７号公報
【特許文献２】特開平８−１８８３６５号公報
【発明の概要】
【発明が解決しようとする課題】
【０００４】
しかしながら、地震時の水平力により、上階と下階と水平方向に相対的な変位が生じる場合がある（以下、層間変位と呼ぶ）。この場合、エスカレータは、上下階の躯体に固定されているため、大きな損傷を受ける場合があり、地震発生後の復旧工事に手間がかかる、という問題があった。
【０００５】
本発明は、地震時の損傷を低減できるエスカレータの支持構造を提供することを目的とする。
【課題を解決するための手段】
【０００６】
請求項１に記載のエスカレータ支持構造は、エスカレータ（例えば、後述のエスカレータ１）のトラス（例えば、後述のトラス１０）を建物（例えば、後述の建物４）の躯体（例えば、後述の鉄骨梁２０）に支持するエスカレータ支持構造であって、前記躯体には、エスカレータのトラスを支持するトラス支持部（例えば、後述のトラス支持部２２）と、このトラス支持部に支持されて略水平に延びる摺動プレート（例えば、後述の摺動プレート２４１）と、が設けられ、前記トラスには、当該トラス先端から延出して前記トラス支持部に摺動可能に支持される延出部（例えば、後述の延出部３０）と、当該延出部に設けられて前記摺動プレートを摺動可能に支持する摺動部支持部（例えば、後述の摺動部支持部３１）と、前記延出部に設けられて一端側が前記摺動プレートの上面に摺動可能に載置される床仕上材（例えば、後述の床仕上材３２２）と、が設けられていることを特徴とする。
【０００７】
この発明によれば、地震時の層間変位によりトラスが建物の床に対して相対移動すると、トラスの延出部がトラス支持部上を摺動する。
このとき、床仕上材の一端側が摺動プレート上に載置されているため、床仕上材が摺動プレート上を摺動して、トラスの相対移動に追従する。よって、地震時の水平力による損傷を低減できるうえに、建物の床とエスカレータの床との間に隙間が生じることはなく、歩行者が通行時につまずくのを防止できる。
また、摺動プレートが摺動部支持部で支持されているので、歩行者が通行しても、摺動プレートや床仕上材が凹んでしまうのを防止できる。
【０００８】
請求項２に記載のエスカレータ支持構造は、前記摺動プレートの上面のうち前記床仕上材で覆われていない部分には、弾性変形可能な段差解消シート（例えば、後述の段差解消シート２４２）が設けられていることを特徴とする。
【０００９】
この発明によれば、摺動プレートの上面のうち床仕上材で覆われていない部分に、弾性変形可能な段差解消シートを設けた。よって、床仕上材と摺動プレートとの段差を解消できるので、歩行者が通行時につまずくのをより確実に防止できる。
また、地震時の層間変位により、床仕上材が摺動プレート上を摺動しても、段差解消シートが弾性変形するので、床仕上材が損傷するのを防止できる。
【００１０】
請求項３に記載のエスカレータ支持構造は、前記トラス支持部には、建物の床（例えば、後述の床５）に至る正面側目地部（例えば、後述の正面側目地部２３）が設けられることを特徴とする。
【００１１】
この発明によれば、建物の床に至る正面側目地部を設けたので、この正面側目地部をコンクリート止めとしてコンクリートを打設することができ、コンクリート止めを省略できるので、工期を短縮できる。
【発明の効果】
【００１２】
本発明によれば、地震時の層間変位によりトラスが建物の床に対して相対移動すると、トラスの延出部がトラス支持部上を摺動する。このとき、床仕上材の一端側が摺動プレート上に載置されているため、床仕上材が摺動プレート上を摺動して、トラスの相対移動に追従する。よって、地震時の水平力による損傷を低減できるうえに、建物の床とエスカレータの床との間に隙間が生じることはなく、歩行者が通行時につまずくのを防止できる。また、摺動プレートが摺動部支持部で支持されているので、歩行者が通行しても、摺動プレートや床仕上材が凹んでしまうのを防止できる。
【図面の簡単な説明】
【００１３】
【図１】本発明の一実施形態に係るエスカレータの側面図および平面図である。
【図２】前記実施形態に係るエスカレータの上階部分の拡大平面図である。
【図３】図２のＡ−Ａ断面図である。
【図４】図２のＢ−Ｂ断面図である。
【図５】前記実施形態に係るエスカレータの動作を説明するための断面図である。
【図６】前記実施形態に係るエスカレータを建物に取り付ける手順を示すフローチャートである。
【図７】本発明の変形例に係るエスカレータの側面図および平面図である。
【発明を実施するための形態】
【００１４】
以下、本発明の一実施形態について、図面を参照しながら説明する。
図１は、本発明の一実施形態に係るエスカレータ１の側面図および平面図である。
エスカレータ１は、建物４に略平行に並んで２台設置されている。各エスカレータ１は、下階の下部床２と上階の上部床３との間で乗客を移動させる装置である。
【００１５】
エスカレータ１の下部床２は、建物４の下階に固定されているが、上部床３は建物４の上階に対して長さ方向（図１中矢印方向）に相対移動可能となっている。すなわち、１つのフロアでは、２つの上部床３が隣り合っており、両方とも建物４に対して相対移動可能となっている。この相対移動可能な上部床３を、図１（ｂ）中斜線で示す。
【００１６】
エスカレータ１は、具体的には、下部床２から上部床３に向かって斜め上方に延びる骨組であるトラス１０と、このトラス１０の両側に立設けられた一対の内側板１１と、トラス１０上に並んで設けられた複数のステップ１２と、一対の内側板１１に設けられた一対の移動手摺１３と、トラス１０の内部に設けられた図示しない駆動装置と、この駆動装置の駆動力によりステップ１２をトラス１０に沿って移動する図示しないステップ移動機構と、駆動装置の駆動力により移動手摺１３を内側板１１に沿って移動する図示しない手摺移動機構と、を備える。
【００１７】
図２は、エスカレータ１の上階部分の拡大平面図である。
エスカレータ１の上部床３は、上階の床５に面一で連続しており、この上部床３の正面側と床５との間には、正面部床６が設けられ、上部床３の側面側と床５との間には、側面部床７が設けられている。
【００１８】
図３は、図２のＡ−Ａ断面図であり、エスカレータ１の先端部の断面を示している。
建物４には、エスカレータ１の先端部に対向して躯体としての鉄骨梁２０が設けられ、この鉄骨梁２０のフランジ上面には、床スラブ２１が設けられている。
また、鉄骨梁２０の上フランジの上面には、エスカレータ１のトラス１０を支持するトラス支持部２２と、このトラス支持部２２に設けられて建物４の床面５に至る正面側目地部２３と、この正面側目地部２３に設けられて略水平に延びる摺動部２４と、が設けられている。床スラブ２１は、正面側目地部２３まで延びている。また、この床スラブ２１の上面には、床仕上材２１１が張り付けられており、上階の床５を構成している。
【００１９】
トラス支持部２２は、鉄骨梁２０の上フランジの上面に取り付けられた平板状の下地プレート２２１と、この下地プレート２２１の上面に複数枚積層された高さ調整ライナー２２２と、を備える。
【００２０】
正面側目地部２３は、トラス支持部２２の下地プレート２２１に設けられた下地部２３１と、この下地部２３１に取り付けられて略鉛直に延びる平板状の正面目地板２３２と、を備える。
下地部２３１は、２つのアングル材２３３、２３４を組み合わせて構成され、鉛直方向に高さを調整可能となっている。正面目地板２３２は、アングル材２３４に固定され、上階の床５と正面部床６とを区切るものである。
【００２１】
摺動部２４は、正面目地板２３２に取り付けられて略水平に延びる平板状の摺動プレート２４１と、この摺動プレート２４１の上面に設けられた弾性変形可能なゴム製の段差解消シート２４２と、を備える。
【００２２】
トラス１０は、トラス１０の先端から延出してトラス支持部２２に摺動可能に支持される延出部３０と、この延出部３０に設けられて摺動部２４を摺動可能に支持する摺動部支持部３１と、延出部３０に設けられた正面側床部３２と、トラス１０に設けられて上部床３を構成する床部３３と、を備える。
【００２３】
延出部３０は、トラス支持部２２の高さ調整ライナー２２２の上面に載置される。
摺動部支持部３１は、摺動プレート２４１の下面を摺動可能に支持する。この摺動部支持部３１は、２つのアングル材３１１、３１２を組み合わせて構成され、鉛直方向に高さを調整可能となっている。
【００２４】
正面側床部３２は、延出部３０に設けられた２つの下地部３２１と、これら下地部３２１に取り付けられて略水平に延びて一端側が摺動プレート２４１の上面に摺動可能に載置される床仕上材３２２と、を備える。
下地部３２１は、２つのアングル材３２３、３２４を組み合わせて構成され、鉛直方向に高さを調整可能となっている。床仕上材３２２は、正面部床６を構成するものである。
上述の段差解消シート２４２は、摺動プレート２４１の上面のうち床仕上材３２２で覆われていない部分に設けられており、一端縁側が正面目地板２３２に接続され、他端縁側が床仕上材３２２に接続されている。
【００２５】
床部３３は、トラス１０に設けられた下地部３３１と、この下地部３３１に取り付けられて略鉛直に延びる平板状の目地板３３２と、床仕上材３３３と、を備える。
目地板３３２は、上部床３と正面部床６とを区切るものである。
【００２６】
図４は、図２のＢ−Ｂ断面図であり、エスカレータ１の側面部の断面を示している。
建物４には、エスカレータ１の側面部に対向して、上述の床スラブ２１が張り出して設けられている。
また、この張出した床スラブ２１の側面には、建物４の床面に至る側面側目地部２５が設けられている。
【００２７】
側面側目地部２５は、床スラブ２１に取り付けられた下地部２５１と、この下地部２５１に取り付けられて略鉛直に延びる平板状の側面目地板２５２と、を備える。
下地部２５１は床スラブ２１の端面のコンクリート止めの鉄板に溶接固定された略鉛直方向に延びる複数本のアングル材２５３と、これらアングル材２５３の上面に溶接固定されて略水平方向に延びるアングル材２５４と、を備える。側面目地板２５２は、アングル材２５４に溶接固定され、上階の床５と側面部床７とを区切るものである。
【００２８】
一方、トラス１０の延出部３０には、側面側目地部２５に当接して摺動する側面側床部３４が設けられている。
側面側床部３４は、延出部３０に設けられた下地部３４１と、この下地部３４１に取り付けられて側面目地板２５２に当接する摺動部３４２と、この摺動部３４２の上に設けられた床仕上材３４３と、を備える。
下地部３４１は、２つのアングル材３４４、３４５を組み合わせて構成され、鉛直方向に高さを調整可能となっている。摺動部３４２は、アングル材３４５に固定されている。床仕上材３４３は、側面部床７を構成するものである。
【００２９】
以上のエスカレータ１は、以下のように動作する。
すなわち、地震時の層間変位により、エスカレータ１のトラス１０が建物４の床５に対して相対移動すると、トラス１０の延出部３０がトラス支持部２２上を摺動する。
このとき、図５に示すように、正面側床部３２の床仕上材３２２の一端側が摺動部２４の摺動プレート２４１上に載置されているため、床仕上材３２２が摺動プレート２４１上を摺動して、トラス１０の相対移動に追従する。また、床仕上材３２２の摺動に伴って、段差解消シート２４２が弾性変形して上方に膨出する。
【００３０】
図６は、エスカレータ１を建物４に取り付ける手順を示すフローチャートである。
ステップＳ１では、建物４の鉄骨梁２０にトラス支持部２２を取り付ける。このとき、高さ調整ライナー２２２の枚数を適宜調整して、トラス支持部２２の高さを調整する。
ステップＳ２では、トラス１０に延出部３０を取り付ける。
ステップＳ３では、延出部３０をトラス支持部２２に載せて、トラス１０を建物４に取り付ける。
ステップＳ４では、側面側目地部２５を取り付ける。このとき、側面目地板２５２の高さを適宜調整して、この側面目地板２５２をアングル材２５４に溶接固定する。
ステップＳ５では、正面側目地部２３を取り付ける。このとき、下地部２３１の高さを適宜調整することで、正面目地板２３２の高さを適宜調整する。
ステップＳ６では、側面側床部３４を取り付ける。このとき、下地部３４１の高さを適宜調整することで、側面側床部３４の高さを適宜調整する。
ステップＳ７では、摺動部支持部３１を取り付ける。このとき、摺動部支持部３１の高さを適宜調整する。
ステップＳ８では、摺動部２４の摺動プレート２４１を取り付ける。
ステップＳ９では、正面側床部３２を取り付ける。
ステップＳ１０では、摺動部２４の段差解消シート２４２を取り付ける。
【００３１】
本実施形態によれば、以下のような効果がある。
（１）地震時に層間変位が発生しても、正面側床部３２の床仕上材３２２の一端側が摺動部２４の摺動プレート２４１上に載置されているため、床仕上材３２２が摺動プレート２４１上を摺動して、トラス１０の相対移動に追従する。よって、地震時の水平力による損傷を低減できるうえに、建物４の床５とエスカレータ１の上部床３とに間に隙間が生じることはなく、歩行者が通行時につまずくのを防止できる。
また、摺動プレート２４１が摺動部支持部３１で支持されているので、歩行者が通行しても、摺動プレート２４１や床仕上材３２２が凹んでしまうのを防止できる。
【００３２】
（２）摺動プレート２４１の上面のうち床仕上材３２２で覆われていない部分に、弾性変形可能な段差解消シート２４２を設けた。よって、床仕上材３２２と摺動プレート２４１との段差を解消できるので、歩行者が通行時につまずくのをより確実に防止できる。
また、地震時の層間変位により、床仕上材３２２が摺動プレート２４１上を摺動しても、段差解消シート２４２が弾性変形するので、床仕上材３２２が損傷するのを防止できる。
【００３３】
（３）建物４の床５に至る正面側目地部２３を設けたので、この正面側目地部２３をコンクリート止めとしてコンクリートを打設することができ、コンクリート止めを省略できるので、工期を短縮できる。
【００３４】
なお、本発明は前記実施形態に限定されるものではなく、本発明の目的を達成できる範囲での変形、改良等は本発明に含まれるものである。
例えば、本実施形態では、２台のエスカレータ１を略平行に設置したが、これに限らず、図７に示すように、側面視で交差する方向に設置してもよい。この場合、１つのフロアでは、下部床２と上部床３とが隣り合っており、上部床３のみが相対移動可能となっている。この相対移動可能な上部床３を、図７（ｂ）中斜線で示す。
【符号の説明】
【００３５】
１…エスカレータ
２…下部床
３…上部床
４…建物
５…上階の床
６…正面部床
７…側面部床
１０…トラス
１１…内側板
１２…ステップ
１３…移動手摺
２０…鉄骨梁（躯体）
２１…床スラブ
２２…トラス支持部
２３…正面側目地部
２４…摺動部
２５…側面側目地部
３０…延出部
３１…摺動部支持部
３２…正面側床部
３３…床部
３４…側面側床部
２１１…床仕上材
２２１…下地プレート
２２２…調整ライナー
２３１…下地部
２３２…正面目地板
２３３…アングル材
２３４…アングル材
２４１…摺動プレート
２４２…段差解消シート
２５１…下地部
２５２…側面目地板
２５３…アングル材
２５４…アングル材
３１１…アングル材
３１２…アングル材
３２１…下地部
３２２…床仕上材
３２３…アングル材
３２４…アングル材
３３１…下地部
３３２…目地板
３３３…床仕上材
３４１…下地部
３４２…摺動部
３４３…床仕上材
３４４…アングル材
３４５…アングル材
【図１】
2014094792.tif 000003
【図２】
2014094792.tif 000004
【図３】
2014094792.tif 000005
【図４】
2014094792.tif 000006
【図５】
2014094792.tif 000007
【図６】
2014094792.tif 000008
【図７】
2014094792.tif 000009